(57)【特許請求の範囲】
【請求項１】
２個の発光ダイオード及び、底面でこれら発光ダイオードと対向するとともにこれら発光ダイオードから入射された光を線状の光に変換して側面から出射する導光ロッドを有する点灯部と、側端面で前記導光ロッドの側面と光学的に結合されて、この導光ロッドから入射された線状の光を面状の光に変換して出射する導光板と、この導光板から放射された光によって照明される表示パネルと、外部電源に接続されて前記各発光ダイオードを点灯させる点灯装置と、この点灯装置を内部に収容し、前記点灯部及び前記導光板を保持する筐体とを備え、
前記点灯部には、前記導光ロッドからの漏れ光を検出することによって、前記２個の発光ダイオードから放射される光の光量を検出する光量センサが備えられており、
前記点灯装置は、ＬＥＤ光量調整動作として、第１の前記発光ダイオードを点灯させ第２の前記発光ダイオードを消灯させる第１の発光パターンで、前記漏れ光の光量を前記光量センサを介して検出し、この検出された光量が第１の発光パターンに対応した所定の目標範囲内に収まるように第１の前記発光ダイオードの光量を調整する動作を行った後、両方の前記発光ダイオードを点灯させる第２の発光パターンで、前記漏れ光の光量を前記光量センサを介して検出し、この検出された光量が第２の発光パターンに対応した所定の目標範囲内に収まるように第２の前記発光ダイオードの光量を調整する動作を行い、
この点灯装置は、前記ＬＥＤ光量調整動作で調整された前記各発光ダイオードの光量に基づいて、前記各発光ダイオードを点灯させることを特徴とする照明装置。
【請求項２】
前記点灯装置は、初期電源投入時に前記ＬＥＤ光量調整動作を行うことを特徴とする請求項１記載の照明装置。
【請求項３】
前記点灯装置は、定期的に前記ＬＥＤ光量調整動作を行うことを特徴とする請求項１記載の照明装置。
【請求項４】
前記光量センサは、前記ＬＥＤ光量調整動作を行う際にだけ、給電が入切されることを特徴とする請求項１〜３のいずれか一項記載の照明装置。
【請求項５】
前記点灯装置は、前記ＬＥＤ光量調整動作を行う際には、人間の目が明るさのちらつきを感知できない程度の早い周期で、前記発光パターンを切り替えることを特徴とする請求項１〜４のいずれか一項記載の照明装置。
【請求項６】
前記筐体の内部には二次電池が備えられており、
前記点灯装置は、前記外部電源からの電力供給により前記二次電池を充電する充電回路部と、前記外部電源又は前記二次電池からの電力供給により前記発光ダイオードを点灯させる点灯回路部とを備え、
前記点灯装置は、前記ＬＥＤ光量調整動作を行う際には、前記外部電源からの電力供給で前記発光ダイオードを点灯させる場合と、前記二次電池からの電力供給でこれら発光ダイオードを点灯させる場合とで、前記光量センサで検出される光量の目標範囲が同じ発光パターンに対して異なる値となるように、前記各発光ダイオードの光量を調整することを特徴とする請求項１〜５のいずれか一項記載の照明装置。
【請求項７】
前記点灯装置は、前記２個の発光ダイオードに流すＬＥＤ電流を調整するＬＥＤ電流調整部を備え、
前記点灯装置は、前記ＬＥＤ光量調整動作を行う際には、前記ＬＥＤ電流調整部で前記ＬＥＤ電流を調整することによって、前記各発光ダイオードの光量を調整することを特徴とする請求項１〜６のいずれか一項記載の照明装置。
【発明の詳細な説明】
【技術分野】
【０００１】
本発明は、誘導灯などの照明装置において、特に光源に複数の発光ダイオードを用いた照明装置に関するものである。
【背景技術】
【０００２】
従来、導光板の側面に対向するように線状光源を配置し、線状光源から放射された線状（帯状）の光を導光板によって面状の光に変換して、導光板の出射面に対向して配設された表示パネルを照明する照明装置がある。
【０００３】
このような照明装置の線状光源としては、冷陰極ランプ（例えば、特許文献１参照）や、ＬＥＤ（発光ダイオード）を一列に並べて配置したもの（例えば、特許文献２参照）が用いられてきた。
【０００４】
また、線状光源として、柱状の線状導光体と点光源（ＬＥＤ）とを用いた照明装置も、提案されている（例えば、特許文献３参照）。本従来例では、ＬＥＤを線状導光体の底面に対向して配置している。このＬＥＤから放射された光は、底面から線状導光体の内部に入射し、線状導光体の一側面である反射面で反射されて、反射面と対向する出射面から線状に放射される。この線状の光は、導光板によって面状の光に変換され、導光板の出射面から放射される。本従来例では、光源にＬＥＤを用いることで低消費電力・長寿命が実現され、また、点光源であるＬＥＤの光を線状導光体によって線状の光に変換しているので、線状光源としてＬＥＤを一列に並べて配置した照明装置に比べて、色ムラが発生しにくいという特徴がある。
【先行技術文献】
【特許文献】
【０００５】
【特許文献１】特開２００１−２４９０９号公報
【特許文献２】特開２００８−９８２９０号公報
【特許文献３】特許４１４１７６６号公報
【発明の概要】
【発明が解決しようとする課題】
【０００６】
ところで、一般用照明器具に使用されるＬＥＤの寿命は、ＪＩＬ５００６（白色ＬＥＤ照明器具性能要求事項）にて、全光束または光度が初期値の７０％になったときと定められている。また、一般にＬＥＤの光量は素子毎のばらつきが大きく、ランク指定などにより細分化した後でも２０％程度のばらつきがある。よって、光量の小さなＬＥＤの寿命末期時の光量は、光量の大きなＬＥＤの初期の光量と比べて、４０〜５０％程度小さいことになる。従って、光源にＬＥＤを用いた照明装置では、ＬＥＤの寿命末期時には、初期設定値よりも４０〜５０％程度光量が低下するおそれがある。
【０００７】
一般に、照明装置はただ点灯すればよいというものではなく、所定の光量が要求されることが多い。例えば誘導灯では、ＪＩＬ５５０２（誘導灯器具及び避難誘導システム用装置技術基準）にて、満たすべき表示面の平均輝度が定められている。一例として、表示面の縦寸法が２００ｍｍ以上４００ｍｍ未満であるＢ級の誘導灯で必要とされる平均輝度は、表示面平均輝度が高いＢ級ＢＨ形、表示面平均輝度が低いＢ級ＢＬ形それぞれにおいて、図６に示すとおりである。従って、例えばＢ級ＢＨ形の避難口誘導灯において、ＬＥＤの寿命末期時に通常時の平均輝度の下限値（５００ｃｄ／ｍ２）を満たすためには、光束減退を４０％とすると、初期の平均輝度を８３３ｃｄ／ｍ２に設定する必要があり、ＪＩＬ５５０２に定められた上限値（８００ｃｄ／ｍ２）を超えてしまうことになる。このように、ＬＥＤを光源に用いた照明装置では、ＬＥＤの寿命末期時の光束減退のために、所望の光量が得られないおそれがあるという問題があった。
【０００８】
上記のような寿命末期時の光束減退を解消するには、表示面の輝度を測定する光量センサを設け、表示面の輝度が所望の値となるようにＬＥＤの光量を調整するという方法が考えられる。しかしこの方法は、光源として１個のＬＥＤを用いた照明装置では特に問題ないが、光源として複数のＬＥＤを用いた照明装置にこの方法を適用すると、この方法では複数のＬＥＤの光量の総和しか測定できないため、時間経過に伴う各ＬＥＤの光束のばらつきによって、表示面に色ムラが発生してしまうおそれがあった。また、この問題を解消するには、複数のＬＥＤそれぞれに対応して複数の光量センサを設け、表示面の輝度と各光量センサで検出した光量との対応関係を予め求めておき、表示面の輝度が所望の輝度となるように、また表示面に色ムラが生じないように、各ＬＥＤを制御するという方法が考えられるが、この場合にはＬＥＤと同じ数だけ光量センサが必要になってしまうという課題があった。
【０００９】
本発明は上記事情に鑑みて為されたものであり、光源として複数のＬＥＤ素子を用い、ＬＥＤの個数よりも少ない個数の光量センサを用いて、個々のＬＥＤをそれぞれ所望の光量で発光させることができる照明装置を提供することを目的とする。
【課題を解決するための手段】
【００１０】
上記の目的を達成するために、請求項１の発明は、２個の発光ダイオード及び、底面でこれら発光ダイオードと対向するとともにこれら発光ダイオードから入射された光を線状の光に変換して側面から出射する導光ロッドを有する点灯部と、側端面で前記導光ロッドの側面と光学的に結合されて、この導光ロッドから入射された線状の光を面状の光に変換して出射する導光板と、この導光板から放射された光によって照明される表示パネルと、外部電源に接続されて前記各発光ダイオードを点灯させる点灯装置と、この点灯装置を内部に収容し、前記点灯部及び前記導光板を保持する筐体とを備え、前記点灯部には、前記導光ロッドからの漏れ光を検出することによって、前記２個の発光ダイオードから放射される光の光量を検出する光量センサが備えられており、前記点灯装置は、ＬＥＤ光量調整動作として、第１の前記発光ダイオードを点灯させ第２の前記発光ダイオードを消灯させる第１の発光パターンで、前記漏れ光の光量を前記光量センサを介して検出し、この検出された光量が第１の発光パターンに対応した所定の目標範囲内に収まるように第１の前記発光ダイオードの光量を調整する動作を行った後、両方の前記発光ダイオードを点灯させる第２の発光パターンで、前記漏れ光の光量を前記光量センサを介して検出し、この検出された光量が第２の発光パターンに対応した所定の目標範囲内に収まるように第２の前記発光ダイオードの光量を調整する動作を行い、この点灯装置は、前記ＬＥＤ光量調整動作で調整された前記各発光ダイオードの光量に基づいて、前記各発光ダイオードを点灯させることを特徴とする。
【００１１】
請求項１の発明では、点灯装置がＬＥＤ光量調整動作を行うことで、例えば１個の光量センサだけで、複数の発光ダイオードの個々の光量を設定することができる。すなわち、点灯装置には、予め、複数の発光ダイオードのうちいくつかを点灯させ残りを消灯させるようなある発光パターンに対して、光量センサで検出される光量の目標値が定められている。そしてこの点灯装置は、上記発光パターンで複数の発光ダイオードを点灯させて、このときに光量センサで検出された光量が上記目標値に等しくなるように、各発光ダイオードの光量を調整する。このような調整を、発光パターンを変更しながら複数回行うことによって、各発光ダイオードの光量をそれぞれ所定の値に設定することができるのである。なお、例えば発光ダイオードが対称に配置された照明装置などでは、各発光ダイオードの光量が等しくなるように各発光ダイオードを点灯させることで、表示面での色ムラをなくすことができる。また、本発明を誘導灯に適用する場合には、すべての発光ダイオードを点灯させたときの表示パネルの輝度が、ＪＩＬ規格で定められた目標範囲内に収まるように、各発光パターンの光量の目標値を定めておくことで、すべての発光ダイオードを点灯させたときに適切にＪＩＬ規格を満たすことができる。
【００１２】
請求項２の発明は、請求項１記載の発明において、前記点灯装置は、初期電源投入時に前記ＬＥＤ光量調整動作を行うことを特徴とする。
【００１３】
請求項２の発明では、初期電源投入時にＬＥＤ光量調整動作を行うことによって、設置場所の外部光の影響を考慮して、各発光ダイオードの光量を決めることができる。
【００１４】
請求項３の発明は、請求項１記載の発明において、前記点灯装置は、定期的に前記ＬＥＤ光量調整動作を行うことを特徴とする。
【００１５】
請求項３の発明では、定期的にＬＥＤ光量調整動作を行うことによって、各発光ダイオードの光量が寿命で劣化しても、これを補正することができる。
【００１６】
請求項４の発明は、請求項１〜３のいずれか一項記載の発明において、前記光量センサは、前記ＬＥＤ光量調整動作を行う際にだけ、給電が入切されることを特徴とする。
【００１７】
請求項４の発明では、ＬＥＤ光量調整動作を行うときにだけ光量センサに電力を供給することで、省エネを実現できる。
【００１８】
請求項５の発明は、請求項１〜４のいずれか一項記載の発明において、前記点灯装置は、前記ＬＥＤ光量調整動作を行う際には、人間の目が明るさのちらつきを感知できない程度の早い周期で、前記発光パターンを切り替えることを特徴とする。
【００１９】
請求項５の発明では、発光ダイオードの発光パターンを切り替える際に、人間の目に見えない程度の早い周期で発光パターンを切り替えることで、ＬＥＤ光量調整動作を行う際に外観上の見栄えが悪くなるのを防ぐことができる。
【００２０】
請求項６の発明は、請求項１〜５のいずれか一項記載の発明において、前記筐体の内部には二次電池が備えられており、前記点灯装置は、前記外部電源からの電力供給により前記二次電池を充電する充電回路部と、前記外部電源又は前記二次電池からの電力供給により前記発光ダイオードを点灯させる点灯回路部とを備え、前記点灯装置は、前記ＬＥＤ光量調整動作を行う際には、前記外部電源からの電力供給で前記発光ダイオードを点灯させる場合と、前記二次電池からの電力供給でこれら発光ダイオードを点灯させる場合とで、前記光量センサで検出される光量の目標範囲が同じ発光パターンに対して異なる値となるように、前記各発光ダイオードの光量を調整することを特徴とする。
【００２１】
請求項６の発明では、筐体内に二次電池を備えることで、停電時でも発光ダイオードを点灯させることができる。また、商用電源から給電される場合と二次電池から給電される場合とで、同じ発光パターンに対して光量の目標範囲を異ならしめているので、商用電源から給電される場合と二次電池から給電される場合とで、異なる輝度で表示パネルを照明することができる。よって、例えば本発明を誘導灯に適用した場合には、通常時には商用電源から電力を供給し、非常時には二次電池から電力を供給して、異なる光量で各発光ダイオードを点灯させることで、通常時・非常時双方において適切にＪＩＬ規格を満たすことができる。
【００２２】
請求項７の発明は、請求項１〜６のいずれか一項記載の発明において、前記点灯装置は、前記２個の発光ダイオードに流すＬＥＤ電流を調整するＬＥＤ電流調整部を備え、前記点灯装置は、前記ＬＥＤ光量調整動作を行う際には、前記ＬＥＤ電流調整部で前記ＬＥＤ電流を調整することによって、前記各発光ダイオードの光量を調整することを特徴とする。
【００２３】
請求項７の発明では、ＬＥＤ電流調整部でＬＥＤ電流を調整することによって、各発光ダイオードの光量を調整することができる。
【発明の効果】
【００２４】
本発明は、光源として２個のＬＥＤ素子を用い、ＬＥＤの個数よりも少ない１個の光量センサを用いて、個々のＬＥＤをそれぞれ所望の光量で発光させることができる照明装置を提供することができる。
【図面の簡単な説明】
【００２５】
【図１】実施形態の断面図である。
【図２】同上の分解斜視図である。
【図３】同上のブロック図である。
【図４】電流一定の場合においてＬＥＤの光量の経時変化を表す図である。
【図５】別の実施形態の断面図である。
【図６】ＪＩＬ５５０２で規定された、Ｂ級の誘導灯の必要輝度を表す図である。
【発明を実施するための形態】
【００２６】
以下、本発明の技術的思想を誘導灯に適用した実施形態について説明する。ただし、本発明の技術的思想が適用可能な照明装置は、誘導灯に限定されるものではない。
【００２７】
本発明の実施形態を、図１〜図５を参照して説明する。なお、下記説明中での上下左右は図２を基準とし、図２の筐体１から導光板４に向かう向きを前方とする。
【００２８】
本実施形態の照明装置は、図２に示すように、前面開口した略矩形箱形の筐体１の内部に、点灯装置２及び二次電池３を収納し、筐体１の前面を覆うように導光板４、表示パネル５、及び点灯部６を配設してなる。
【００２９】
導光板４は透明アクリル樹脂製であって、上下方向において下側ほど厚さが薄くなるように形成されている。またその後面には、上端面から入射した光を前面に反射するために、ドット印刷などの反射構造が形成されている。
【００３０】
表示パネル５は、透光性を有するアクリル樹脂製であって、上下左右の寸法が導光板４とほぼ等しくなっており、導光板４の前面を覆うように配置される。またその前面には、例えば避難口へ誘導するためのシンボルが表記されている。
【００３１】
導光板４及び表示パネル５は、例えば、左右の幅が筐体１の左右幅とほぼ等しく筐体１の上下幅よりも短い上下幅を有し、導光板４及び表示パネル５が上下方向にスライド自在に嵌合される、図示しないパネルケースによって一体となっている。このパネルケースは、例えばねじ止めによって、あるいは筐体１の左右両側面に形成した嵌合凸部をパネルケースの左右両側面に形成した嵌合凹部に嵌合する嵌合手段によってなどの、適宜の保持手段を用いて筐体１に固定される。パネルケースが固定された状態では、筐体１の上面と表示パネル５の上端縁との間には、点灯部６の上下方向とほぼ等しい隙間が形成される。
【００３２】
なお、導光板４及び表示パネル５を筐体１に固定するには、必ずしもパネルケースを用いる必要はない。例えば、筐体１の横幅とほぼ等しい横幅を持つ導光板４と表示パネル５を、接着剤などで結合して、上記のような適宜の保持手段で保持するなどとしてもよい。
【００３３】
点灯部６はランプホルダ７を備え、ランプホルダ７の内部には、図１に示すように、導光ロッド８と、ＬＥＤ（発光ダイオード）９ａ及び９ｂと、光量センサ１０とが配設されている。
【００３４】
ランプホルダ７は、合成樹脂材料から下面が開口した直方体状に形成され、その横幅は筐体１の横幅とほぼ等しくなっている。
【００３５】
導光ロッド８は透明アクリル樹脂製で、上面がＶ字状の反射面８ａである柱状であって、反射面８ａにはＶ溝加工やドット印刷などにより光を反射する反射構造が形成されている。そして、反射面８ａの一部又は全部を粗面化するなどして光が全反射しない部分を設けることで、ランプホルダ７の上面と導光ロッド８の反射面８ａの間に形成された空間６ａ内に、ＬＥＤ９ａ及び９ｂからの光の一定割合であって且つ少量の光を漏らす構成になっている。
【００３６】
ランプホルダ７内には、導光ロッド８の両底面８ｂに対向して、ＬＥＤ９ａとＬＥＤ９ｂとが配置される。ＬＥＤ９ａ及び９ｂは、図示しない基板上に導電性接着剤などで固着され、この基板は接着剤やねじなどの固定手段でランプホルダ７に固定される。このＬＥＤ９ａ及び９ｂは、電線Ｗ１及び前記図示しない基板を介して点灯装置４から電力を供給されて、発光する。
【００３７】
空間６ａ内のランプホルダ７の上面には、フォトダイオードなどの光量センサ１０が、１個配設されている。光量センサ１０は、導光ロッド８の反射面８ａからの漏れ光を検出することにより、ＬＥＤ９ａ及び９ｂの光量を検出する。
【００３８】
点灯部６は、導光板４及び表示パネル５が筐体１に取り付けられた状態において、ランプホルダ７の左右両端から後方に突設された差込片（図示せず）を、筐体１上部に形成した差込孔部材（図示せず）に差し込んで、器具本体１に着脱自在に取り付けられる。このとき、点灯部６は筐体１と表示パネル５の隙間を塞ぎ、表示パネル５と点灯部６とで筐体１の前面開口を覆っている。またこのとき、導光ロッド８の下面８ｃが、導光板４の上端面の真上に位置している。
【００３９】
筐体１は、合成樹脂などの絶縁性材料からなり、図示しない取付ねじによって壁面または天井面に取り付けられる。また筐体１内には、電線Ｗ２を介して商用電源ＡＣに接続された点灯装置２と、商用電源ＡＣの停電時に点灯装置２へ給電するための非常用電源であって、電線Ｗ３を介して点灯装置２に接続された二次電池３とが配設されている。
【００４０】
点灯装置２は、図３に示すように、充電回路部１１と、点灯回路部１２と、ＬＥＤ電流調整部１３とを備えている。充電回路部１１は、電線を介して商用電源ＡＣ並びに二次電池３に接続され、商用電源ＡＣから電力を供給されて二次電池３を充電する。点灯回路部１２は、商用電源ＡＣと二次電池３とに接続され、通常は商用電源ＡＣにより給電されて点灯部６を点灯させ、商用電源ＡＣの停電時には二次電池３により給電されて点灯部６を点灯させるように構成されている。ＬＥＤ電流調整部１３は、後述するＬＥＤ光量調整動作を行うとともに、ＬＥＤ光量調整動作を行っていないときには、このＬＥＤ光量調整動作によって設定されたＬＥＤ電流の設定値に基づいて、点灯回路部１２がＬＥＤ９ａ及び９ｂに流すＬＥＤ電流の電流値を制御している。
【００４１】
本実施形態において、ＬＥＤ９ａ及び９ｂから放射された光は、これらに対向した導光ロッド８の両底面８ｂから、導光ロッド８へ入射する。この光の一部は反射面８ａから空間６ａ内に放射され、残りの光は、図１の矢印に示すように導光ロッド８の反射面８ａによって下方へと反射され、導光ロッド８の下底面８ｃから線状に放射される。
【００４２】
導光ロッド８の下底面８ｃから導光板４へ向かって線状に放射された光は、図１に示すように、導光板４の上端面から導光板４の内部へ入射する。この光は導光板４の後面で反射され、導光板４の前面から表示パネル５方向へ向かって面状に放射される。なお、導光板４の後方に反射シートを配設し、導光板４の後方へ放射された光を前方へ反射するようにしてもよい。
【００４３】
次に、本発明の特徴であるＬＥＤ光量調整動作について説明する。
【００４４】
発明が解決しようとする課題で示したように、ＬＥＤは、素子毎に光量のバラツキがある。また、一般にＬＥＤは、ＬＥＤ電流が一定であれば、図４に示すように総点灯時間が経過すると光量が低下していく。これに対し本実施形態では、施工時、並びに、毎日の決まった時間や照明装置の点検時などに定期的に、以下に示すＬＥＤ光量調整動作を行うことによって、ＬＥＤ９ａ及び９ｂがそれぞれ所定の光量となるように、各ＬＥＤ９ａ，９ｂのＬＥＤ電流を調整している。
【００４５】
以下に、このＬＥＤ光量調整動作の手順を説明する。
【００４６】
まず、ＬＥＤ電流調整部１３は、第１の発光パターンとして、ＬＥＤ９ａだけを点灯させＬＥＤ９ｂを消灯させるような発光パターンで各ＬＥＤ９ａ，９ｂを制御する。そしてＬＥＤ電流調整部１３は、図示しない電線に挿入された図示しないスイッチをオン制御して、光量センサ１０に電力を供給する。このとき光量センサ１０は、この状態での漏れ光の光量を検出するとともに、検出した光量の値をＬＥＤ電流調整部１３に送信する。ここで、ＬＥＤ電流調整部１３には、予め、ＬＥＤ９ａだけを点灯させたときに光量センサ１０で検出される光量の目標値が設定されており、ＬＥＤ電流調整部１３は、この目標値と検出された光量の値とを比較して、検出される光量が目標値と等しくなるようにＬＥＤ９ａに流すＬＥＤ電流を調整する。ここで、ＬＥＤ電流を調整する際には、例えば、オンデューティ比を変化させることで単位時間あたりの平均電流を増減させることによって、ＬＥＤ電流の電流値を調整する。そしてＬＥＤ電流調整部１３は、光量センサ１０で検出される光量が上記目標値と等しくなったときのＬＥＤ電流の値を、ＬＥＤ９ａの設定電流値として設定し、その後、電線に挿入された上記スイッチをオフ制御して、光量センサ１０への電力の供給を停止する。
【００４７】
次にＬＥＤ電流調整部１３は、第２の発光パターンとして、ＬＥＤ９ａを消灯させＬＥＤ９ｂだけを点灯させるような発光パターンで各ＬＥＤ９ａ，９ｂを制御し、第１の発光パターンと同様の動作を行って、ＬＥＤ９ｂの設定電流値を設定する。ここで、ＬＥＤ９ａの光量の目標値とＬＥＤ９ｂの光量の目標値とを同じ値に設定しておけば、ＬＥＤ９ａの光量とＬＥＤ９ｂの光量が等しくなるので、表示パネル５のうちでＬＥＤ９ａで照明される部位の輝度と、ＬＥＤ９ｂで照明される部位の輝度が等しくなり、表示パネル５での色ムラをなくすことができる。なお、これらの発光パターンを切り替えるとき（ＬＥＤ９ａ，９ｂを両方点灯させた発光パターンから、第１または第２の発光パターンに切り替えるときなども含む）には、人が知覚できない程度の早い（例えば数１００Ｈｚ以上の）周期で、各発光パターンを切り替えている。
【００４８】
そしてＬＥＤ電流調整部１３は、上記のような調整動作を行っていないときには、第１の発光パターン及び第２の発光パターンで設定された各ＬＥＤ９ａ，９ｂの設定電流値に基づいて、ＬＥＤ９ａ及び９ｂを点灯させるのである。
【００４９】
本実施形態は、上記のようなＬＥＤ光量調整動作を行うことで、一つの光量センサ１０だけを用いて、ＬＥＤ９ａとＬＥＤ９ｂの２つのＬＥＤの光量を所望の値に設定することができる。
【００５０】
ここで、予め設定しておく光量の目標値としては、ＬＥＤ９ａとＬＥＤ９ｂの両方を点灯させたときに、表示パネル５の輝度が所望の目標範囲内に収まる値にしておけばよい。すなわち、このＬＥＤ光量調整動作は、商用電源ＡＣにより給電される通常時と二次電池３により給電される非常時とに対してそれぞれ行われ、例えばＢ級ＢＨ形の避難口誘導灯であれば、ＪＩＬ５５０２で定められているように、表示パネル５の平均輝度が、商用電源ＡＣから電力を供給される通常時では５００〜８００ｃｄ／ｍ２の範囲の値となるように、二次電池３から電力を供給される停電時などの非常時には１００〜３００ｃｄ／ｍ２の範囲の値となるように、各ＬＥＤ９ａ，９ｂの電流値が調整される。
【００５１】
以上述べた本実施形態では、施工時にＬＥＤ光量調整動作を行うことで、複数のＬＥＤ素子の光量にばらつきがあっても一定の光出力を得ることができ、また、定期的にＬＥＤ光量調整動作を行うことで、各ＬＥＤの経年劣化の程度が異なっても、一定の光出力を得ることができる。また本実施形態では、ＬＥＤ光量調整動作を行う際にだけ光量センサ１０に電力を供給しているので、無駄な電力消費をなくすことができ、省エネを実現できる。また、ＬＥＤ光量調整動作を行う際に、人が知覚できない程度の早い周期で発光パターンを切り替えているので、外観上の見栄えが悪くなるのを防ぐことができる。
【００５２】
なお、本実施形態のように２個のＬＥＤ９ａ，９ｂの電流値を設定するときには、任意の２種類の発光パターンで各ＬＥＤ９ａ，９ｂを点灯させて、各ＬＥＤ９ａ，９ｂの電流値を設定すればよい。すなわち、例えば第１の発光パターンとしてＬＥＤ９ａだけ点灯させて、このとき検出される光量から、ＬＥＤ９ａの電流値を設定し、次に、第２の発光パターンとして２個のＬＥＤ９ａ及び９ｂを両方点灯させて、このとき検出される光量から、ＬＥＤ９ｂの電流値を設定するなどとしてもよい。
【００５３】
また、ＬＥＤの個数は２個に限られず、３個以上のＬＥＤを用いてもよく、この場合には、ＬＥＤの個数と同じ回数の発光パターンでＬＥＤ光量調整動作を行うことで、各ＬＥＤの電流値を設定することができる。また、本実施形態では１個の光量センサで２個のＬＥＤの各光量を設定しているが、ＬＥＤを３個以上設けた場合には光量センサが１個である必要はなく、例えば４個のＬＥＤに対して光量センサを２個設け、各光量センサで２個ずつのＬＥＤの電流値を設定するなどとしてもよい。
【００５４】
なお、本実施形態の別の形態として、図５に示すように、導光ロッド８の片側の底面８ｄに対向するように、複数のＬＥＤ９ｄを配置してもよい。この場合には、導光ロッド８の形状は、図に示すように楔形となっている。
【符号の説明】
【００５５】
２    点灯装置
４    導光板
５    表示パネル
６    点灯部
８    導光ロッド
９ａ  ＬＥＤ
９ｂ  ＬＥＤ
１０  光量センサ
【図１】
0005476101.tif 000002
【図２】
0005476101.tif 000003
【図３】
0005476101.tif 000004
【図４】
0005476101.tif 000005
【図５】
0005476101.tif 000006
【図６】
0005476101.tif 000007